(57)【特許請求の範囲】
【請求項１】
記録媒体に半導体発光素子からの光出力により光学的に複数の記録速度で情報の記録再生を行う情報記録再生装置において、前記複数の記録速度に対して同一の、最速の記録速度に最低限必要な記録同期信号周波数の整数倍の周波数の基準信号を用いて、１つの記録マークを形成するために記録波形を前記半導体発光素子の出力が異なる複数部分に分割する記録補正を行うとともに、１つの記録マークを形成するために前記基準信号の周期を単位として記録波形を前記半導体発光素子の出力が異なる複数部分に分割する記録補正を行い、その分割した部分のうち前記記録媒体の冷却の役割を担う前記半導体発光素子の出力低レベル部分の時間を記録速度によらずに一定としたことを特徴とする記録補正方法。
【請求項２】
記録媒体に半導体発光素子からの光出力により光学的に複数の記録速度で情報の記録再生を行う情報記録再生装置において、前記複数の記録速度に対して同一の、最速の記録速度に最低限必要な記録同期信号周波数の整数倍の周波数の基準信号を用いて、１つの記録マークを形成するために記録波形を前記半導体発光素子の出力が異なる複数部分に分割する記録補正を行うとともに、１つの記録マークを形成するために前記基準信号の周期を単位として記録波形を前記半導体発光素子の出力が異なる複数部分に分割する記録補正を行い、その分割した部分のうち分割時間最長部分の時間を記録速度によらずに一定としたことを特徴とする記録補正方法。
【発明の詳細な説明】
【０００１】
【産業上の利用分野】
本発明は記録媒体に光学的に情報の記録再生を行う情報記録再生装置の記録補正方法に関する。
【０００２】
【従来の技術】
記録媒体としての光ディスクは高密度化、高速化が進み、それに対応する様々な記録方法が提案され実用化されている。その記録方法の１つにマルチパルス記録方法がある。
このマルチパルス記録方法は、光ディスクに半導体発光素子出力で光学的に情報の記録再生を行う場合に、光ディスク上に１つの記録マークを形成するために記録波形を半導体発光素子の発光パワーが異なる複数の部分に分割して記録する方法である。
【０００３】
このマルチパルス記録方法が奏する効果としては、ＰＷＭ（マークエッジ）記録方法のようにマークの長さ、太さを正確に記録する必要がある場合に半導体発光素子の光照射による蓄熱でマークが涙型となって結果的にマークの長さ、太さが変わることを防ぐこと、相変化型記録方法の場合に半導体発光素子の出力強度を部分的に変化させて光ディスクの記録膜を急冷することにより正確なマークを形成することがあげられる。
【０００４】
従来、半導体発光素子（半導体レーザ）を用いた記録方法において、半導体発光素子出力を制御する半導体発光素子出力制御装置としては、例えば半導体発光素子からの光の一部を受光する光検出器の出力信号を平均化して半導体発光素子出力制御用フィードバック信号とする光出力自動制御装置が特公平４ー６７２６０号公報に記載されている。
また、マルチパルス記録方法において記録補正を行う記録補正方法は、単一の記録速度に対応すべく考えられたものがある。
【０００５】
【発明が解決しようとする課題】
上記記録補正方法は、単一の記録速度に対応すべく考えられたものであるので、記録速度が変わると、最適な記録補正を行うことができない。
本発明は、上記問題点を改善し、複数の記録速度に対応できる記録補正方法を提供することを目的とする。
【０００６】
【課題を解決するための手段】
上記目的を達成するため、請求項１記載の発明は、記録媒体に半導体発光素子からの光出力により光学的に複数の記録速度で情報の記録再生を行う情報記録再生装置において、前記複数の記録速度に対して同一の、最速の記録速度に最低限必要な記録同期信号周波数の整数倍の周波数の基準信号を用いて、１つの記録マークを形成するために記録波形を前記半導体発光素子の出力が異なる複数部分に分割する記録補正を行うとともに、１つの記録マークを形成するために前記基準信号の周期を単位として記録波形を前記半導体発光素子の出力が異なる複数部分に分割する記録補正を行い、その分割した部分のうち前記記録媒体の冷却の役割を担う前記半導体発光素子の出力低レベル部分の時間を記録速度によらずに一定としたことを特徴とする。
【０００７】
請求項２記載の発明は、記録媒体に半導体発光素子からの光出力により光学的に複数の記録速度で情報の記録再生を行う情報記録再生装置において、前記複数の記録速度に対して同一の、最速の記録速度に最低限必要な記録同期信号周波数の整数倍の周波数の基準信号を用いて、１つの記録マークを形成するために記録波形を前記半導体発光素子の出力が異なる複数部分に分割する記録補正を行うとともに、１つの記録マークを形成するために前記基準信号の周期を単位として記録波形を前記半導体発光素子の出力が異なる複数部分に分割する記録補正を行い、その分割した部分のうち分割時間最長部分の時間を記録速度によらずに一定としたことを特徴とする。
【０００９】
【実施例】
本発明の第１実施例は、請求項１記載の発明の一実施例であり、複数の記録速度（線速）に適応する記録方法式における記録補正方法の例である。最近、ＣＤ−ＲＯＭ、ＣＤ−Ｒ等の記録方法では１倍速（Ｘ１）の１．２ｍ／ｓ〜１．４ｍ／ｓを初めとして２倍速（Ｘ２）、４倍速というように１台の装置で複数の記録再生速度を持つものが出てきている。この記録方法における記録補正は図３に示すように記録同期信号（例えば１倍速では４．３２１８ＭＨｚ、２倍速では８．６４３６ＭＨｚ）を基準に行っていることが多い。しかし、記録媒体の記録膜の組成変化速度は記録速度に比べて速いので、記録補正（マルチパルス化）の分割速度は記録速度にかかわらず記録膜の組成変化速度を基準にすることが最適であるといえる。
【００１０】
そこで、第１実施例は、記録媒体に半導体発光素子出力により光学的に複数の記録速度で情報の記録再生を行い、記録補正（１つの記録マークを形成するために記録波形を基準信号に同期して発光パワーの異なる複数部分に分割するマルチパルス化）を行う情報記録再生装置において、装置の最速記録速度に最低限必要な記録同期信号周波数の整数倍の基準信号（以下基準クロックと呼ぶ）の周期を記録補正の分割最小単位として用い、この分割最小単位を基準にして複数の記録速度に応じた記録補正を行うようにしたものである。図１の記録波形（ｎｏ．１）は１倍速の記録補正を２倍速の同期信号を基準クロックとして用いて行う例の記録波形を示している。
この第１実施例では、複数の記録速度に対して同一の基準クロックを用いて記録補正を行うので、記録速度により基準クロックを切替えることがなく、また、記録速度ではなく記録膜の特性に応じた記録補正を行うことができる。
【００１１】
本発明の第２実施例は、上記第１実施例において、記録補正に用いる基準クロックの周波数を、正確な記録マーク（ピット）を形成するために記録媒体の記録膜組成により求められる必要な冷却もしくは加熱時間により決定するようにしたものである。記録補正（マルチパルス化）は、連続したＬＤ光照射により記録媒体が蓄熱し、記録マークが膨らむことを抑制する（ＣＤ−Ｒの場合）、又は記録膜の組成変化を促すためにＬＤ光強度を変化させる急冷条件を作る（相変化型情報記録再生装置の場合）といった効果がある。これは、ＣＤ−Ｒ、相変化型情報記録再生装置がともに正確な記録マーク（ピット）を形成するために必要な冷却もしくは加熱時間、すなわちマルチパルス記録補正の分割最小単位は記録速度よりも記録膜の特性によるところが大きいためである。
【００１２】
この第２実施例では、記録補正に用いる基準クロックの周波数を、正確な記録マーク（ピット）を形成するために記録媒体の記録膜組成により求められる必要な冷却もしくは加熱時間により決定するので、複数の記録速度に対して記録膜組成に応じた最適な補正速度で記録補正を行うことができる。
【００１３】
本発明の第３実施例は、請求項２記載の発明の実施例であり、上記第１実施例において、図１に示す記録波形（ｎｏ．２）のように記録媒体冷却用のＬＤ出力低レベル部分Ｓの時間を複数の記録速度に対して変えずに同じ基準クロック周期の分割最小時間にしたものである。
この第３実施例では、記録補正における記録媒体冷却のためのＬＤ出力低レベル部分Ｓの時間を記録速度によらずに一定としたので、記録膜の組成によりほぼ決定される必要な冷却効果を与えることができる。
【００１４】
本発明の第４実施例は、請求項３記載の発明の実施例であり、上記第１実施例において、図２に示すように先頭重み付け記録の場合、先頭にあたる分割時間最長部分Ｑを記録速度によらずに一定長としたものである。ここに、先頭重み付けマルチパルス記録方式では、１つの記録マーク（ピット）を形成するために記録波形を発光パワーの異なる複数部分に分割して記録するが、記録マークを形成する波形の先頭部分のみ分割時間が長い記録補正を行うが、上記先頭にあたる分割時間最長部分Ｑとは、上記記録マークを形成する波形の先頭部分のことである。この第４実施例では、記録膜の組成変化に必要な熱量は記録速度（線速）にほとんどかかわらない。従来のように記録速度に比例した記録同期信号で記録補正を行うと、分割時間最長部分Ｑの時間も変わり、適正な熱量を記録媒体に与えることができない。本実施例では、どの記録速度でも基準クロックを基に記録補正を行うが、分割時間最長部分Ｑは記録速度によらずに一定長とする。
【００１５】
この第４実施例では、記録波形のうち分割時間最長部分Ｑを記録速度によらずに一定長とするので、記録速度（線速）にほとんどかかわらない記録膜の組成変化を促すのに必要な熱量を最適な状態で記録媒体に与えることができる。
なお、以上の各実施例では、先頭重み付け記録の分割時間最長部分は最も先頭にあり、長さが３Ｔ（Ｔ：基準クロックの周期）であるが、それに限らず最も先頭には短時間のパルス状記録波形を備えたり分割時間最長部分の長さを３Ｔ以外（例えば２Ｔ）にしても上述と同様な効果が得られることはいうまでもない。
【００１６】
また、本発明は、使用する変調コードに関しては、ＣＤ系で多く使われているＥＦＭ（Ｅｉｇｆｔ  Ｔｏ  Ｆｏｕｒｔｅｅｎ  Ｍｏｄｕｌａｔｉｏｎ）コードはもとより、（１、７）ＲＬＬ、（２、７）ＲＬＬなどのようにＮＲＺＩ（Ｎｏｎ  Ｒｅｔｕｒｎ  ｔｏ  Ｚｅｒｏ  Ｉｎｖｅｒｔｅｄ）コードにも適応できる。さらに、上記図の大部分は、簡略化のためにライトパワーを１値としてあるが、本発明は、ライトパワーを３値以上とする方法や、ライトパワーを記録マーク後端で短時間バイアスパワー以下のパワーに弱める方法等の多値記録方法にも適応できる。
【００１７】
【発明の効果】
以上のように請求項１記載の発明によれば、記録媒体に半導体発光素子からの光出力により光学的に複数の記録速度で情報の記録再生を行う情報記録再生装置において、前記複数の記録速度に対して同一の、最速の記録速度に最低限必要な記録同期信号周波数の整数倍の周波数の基準信号を用いて、１つの記録マークを形成するために記録波形を前記半導体発光素子の出力が異なる複数部分に分割する記録補正を行うとともに、１つの記録マークを形成するために前記基準信号の周期を単位として記録波形を前記半導体発光素子の出力が異なる複数部分に分割する記録補正を行い、その分割した部分のうち前記記録媒体の冷却の役割を担う前記半導体発光素子の出力低レベル部分の時間を記録速度によらずに一定としたので、記録速度により基準信号を切替えることがなく、また、記録速度ではなく記録膜の特性に応じた記録補正を行うことができる。
【００１８】
請求項２記載の発明によれば、記録媒体に半導体発光素子からの光出力により光学的に複数の記録速度で情報の記録再生を行う情報記録再生装置において、前記複数の記録速度に対して同一の、最速の記録速度に最低限必要な記録同期信号周波数の整数倍の周波数の基準信号を用いて、１つの記録マークを形成するために記録波形を前記半導体発光素子の出力が異なる複数部分に分割する記録補正を行うとともに、１つの記録マークを形成するために前記基準信号の周期を単位として記録波形を前記半導体発光素子の出力が異なる複数部分に分割する記録補正を行い、その分割した部分のうち分割時間最長部分の時間を記録速度によらずに一定としたので、記録膜の組成によりほぼ決定される必要な冷却効果を与えることができる。
【図面の簡単な説明】
【図１】本発明の第１実施例及び第３実施例を説明するための波形図である。
【図２】本発明の第４実施例を説明するための波形図である。
【図３】従来の記録方法における記録補正を説明するための図である。
【符号の説明】
Ｔ      基準クロックの周期
Ｑ      記録波形のうち分割時間最長部分
Ｓ      記録媒体冷却のためのＬＤ出力低レベル部分
【図１】
0003562767.tif 000002
【図２】
0003562767.tif 000003
【図３】
0003562767.tif 000004